(57)【要約】【課題】ＣＦ型カードの電磁波シールド効果を簡単な構成により高めること。【解決手段】対向配置される第１、第２の導電性カバー１１、２１と、該第１、第２の導電性カバー１１、２１と一体化された、絶縁材で形成された第１、第２の枠部材１３、２３とを備え、前記第１の導電性カバー１１は、対向縁部に沿って屈曲形成された第１の接片部１１ａが、前記第１の枠部材１３に形成されたスリット１３ｃ内に収納され、前記第２の導電性カバー２１は、対向縁部に沿って屈曲形成された、第２の枠部材２３から突出した部分が、前記第１の枠部材１３のスリット１３ｃ内に挿入されたときに前記第１の接片部１１ａと導通する第２の接片部２１ａを備えた。【選択図】    図８
2006011790.tif 000002
【特許請求の範囲】
【請求項１】
対向配置される第１、第２の導電性カバーと、
該第１、第２の導電性カバーと一体化された、絶縁材で形成された第１、第２の枠部材とを備え、
前記第１の導電性カバーは、対向縁部に沿って屈曲形成され、前記第１の枠部材に形成されたスリット内に収納された第１の接片部を備え、
前記第２の導電性カバーは、対向縁部に沿って屈曲形成されて前記第２の枠部材から突出した、前記第１の枠部材のスリット内に挿入されたときに前記第１の接片部と導通する第２の接片部を備えていること、を特徴とするコンパクトフラッシュ型カード。
【請求項２】
前記第１、第２の接片部は、コネクタが配置される面とは異なる対向面に設けられた請求項１記載のコンパクトフラッシュ型カード。
【請求項３】
前記第１、第２の接片部はそれぞれ、所定間隔で複数に分割形成されている請求項１または２記載のコンパクトフラッシュ型カード。
【請求項４】
前記第１、第２の接片部の少なくとも一方は、前記対向縁部に沿って連続形成されている請求項１または２記載のコンパクトフラッシュ型カード。
【請求項５】
前記スリットの開口部は外方に向かって拡大し、第１の接片部は、先端部が開口部方向に向かって延び、かつ開口部を拡大する方向に屈曲している請求項１乃至４のいずれか一項記載のコンパクトフラッシュ型カード。
【請求項６】
前記第１の枠部材に形成されたスリットに前記第２の枠部材から突出した第２の接片部を挿入することにより、前記第１、第２の枠部材が連結される請求項１乃至５のいずれか一項記載のコンパクトフラッシュ型カード。
【請求項７】
前記第２の接片部は、前記第１の枠部材のスリット内に挿入されたときに前記第１の枠部材に食い込む抜け止め突起を備えている請求項１乃至６のいずれか一項記載のコンパクトフラッシュ型カード。
【請求項８】
前記第１、第２の導電性カバーは、内部に組み込まれる基板形状または搭載される実装部品のサイズに応じて形状変形できる拡張部を有することを特徴とする請求項１乃至７のいずれか一項記載のコンパクトフラッシュ型カード。
【発明の詳細な説明】
【技術分野】
【０００１】
本発明は、コンピュータ等の電子機器に使用されるコンパクトフラッシュ（登録商標）型カードに関する。
【背景技術】
【０００２】
近年、コンピュータ、デジタルカメラ、携帯電話等の携帯機器に使用される着脱可能な小型フラッシュメモリカードとして、コンパクトフラッシュ（以下「ＣＦ」）メモリカードが知られている。さらに、このＣＦメモリカード規格のケースおよびインタフェースを利用した、ＵＳＢ等のインタフェースカード、無線ＬＡＮカードなど、種々の製品が開発されている（特許文献１）。
【特許文献１】特開2001-43339号公報
【発明の開示】
【発明が解決しようとする課題】
【０００３】
しかし従来のメモリカード規格のケース（以下「ＣＦ型カード」という）は、元来、フラッシュメモリ用のケースとして開発されていたため、電磁波、特に高周波に対する対策が十分に施されていなかった。そのため、例えば無線ＬＡＮ用の送受信回路をこのフラッシュメモリ用ケースに搭載すると、電磁波の漏れ等を発生するおそれがあった。
【０００４】
本発明は、かかる従来技術の問題に鑑みてなされたもので、ＣＦ型カードの電磁波シールド効果を簡単な構成により高めることを目的とする。
【課題を解決するための手段】
【０００５】
この目的を達成する本発明は、対向配置される第１、第２の導電性カバーと、該第１、第２の導電性カバーと一体化された、絶縁材で形成された第１、第２の枠部材とを備え、前記第１の導電性カバーは、対向縁部に沿って屈曲形成され、第１の枠部材に形成されたスリット内に収納された第１の接片部を備え、前記第２の導電性カバーは、対向縁部に沿って屈曲形成され、前記第２の枠部材から突出した、前記第１の枠部材のスリット内に挿入されたときに前記第１の接片部と導通する第２の接片部を備えていること、に特徴を有する。
【０００６】
実際的には、前記第１、第２の接片部は、コネクタが配置される面とは異なる対向面に設けられる。
【０００７】
前記第１、第２の接片部はそれぞれ、所定間隔で複数に分割形成してもよく、前記第１、第２の接片部の少なくとも一方を、前記対向縁部に沿って連続した一枚として形成してもよい。
【０００８】
前記スリットの開口部は外方に向かって拡大し、第１の接片部は、先端部が開口部方向に向かって延び、かつ開口部を拡大する方向に屈曲させる。好ましくは、前記第１の枠部材に形成されたスリットに前記第２の枠部材から突出した第２の接片部を挿入することにより、前記第１、第２の枠部材が連結されるように形成する。より具体的には、第２の接片部は、前記第１の枠部材のスリット内に挿入されたときに前記第１の枠部材に食い込む抜け止め突起を備える。
【０００９】
さらに前記第１、第２の導電性カバーには、内部に組み込まれる基板形状または搭載される実装部品のサイズに応じて形状変形できる拡張部を備える。
【発明の効果】
【００１０】
本発明によれば、ＣＦ型カードの表裏面を覆う所定間隔で配置された導電性カバーの側縁部に沿って導電性カバーと導通した接片部材が存在しているので、ＣＦ型カードの側面における電磁波シールド効果を高めることができる。
【００１１】
前記第１の枠部材に形成されたスリットに前記第２の枠部材から突出した接片部を挿入することにより前記第１、第２の枠部材が連結されるので、熱プレスおよび超音波溶着が不要になり、組み立てが簡単かつ容易になる。
【発明を実施するための最良の形態】
【００１２】
本発明の実施形態について、図を参照して説明する。図１は、本発明を無線ＬＡＮ用のＣＦ型カードに適用した実施形態の斜視図である。このＣＦ型カードは、第１の導電性カバー１１に第１の枠部材１３を固定した上カバー１０と、第２の導電性カバー２１に第２の枠部材２３をモールド固定した下カバー２０と、拡張部として形成された、装着される機器の外部に露出する表示部カバー３０とを外装部材としている。無線ＬＡＮ用の電子部品は、これら上カバー１０、下カバー２０および表示部カバー３０によって囲まれた空間内に装着される。
【００１３】
第１、第２の導電性カバー１１、２１はステンレス等の導電性金属板で形成されていて、コンパクトフラッシュ型カードの主平面となる正面および背面を覆う。
【００１４】
図２には、第１の導電性カバー１１を内部側から見た内面図を示した。第１の導電性カバー１１には、絶縁材からなる第１の枠部材１３がモールドされている。第１の枠部材１３はコ字形状を呈していて、このＣＦ型カードに装着されるコネクタの開口部を規制する底辺部分１３ａと、底辺部分１３ａを挟む両側腕部１３ｂとを備えている。この両側腕部１３ｂには、長手方向に沿って所定間隔で３個のスリット１３ｃが形成されている。各スリット１３ｃ内には、第１の導電性カバー１１の対向縁部に沿って所定間隔で、内方に向かって屈曲形成された第１の接片部１１ａが嵌入している。各第１の接片部１１ａは、スリット１３ｃ内に露出している（図４参照）。
【００１５】
さらに第１の導電性カバー１１はその両側縁部に、第１の枠部材１３の両側腕部１３ｂの端部に隣接する位置において内方に向かって屈曲形成された、グランド接片１１ｂを備えている。グランド接片１１ｂの先端縁部は、第２の枠部材２３に係合するように屈曲され、さらに第２の導電性カバー２１のグランド接片と接触するように先端縁部から延びたひげ状のグランド接点１１ｃを備えている。
【００１６】
さらに第１の導電性カバー１１は、コネクタ開口部と反対側の縁部近傍に、絶縁材からなる補強枠１５にモールドされ、この補強枠１５から突出する二枚の接続片１１ｄを備えている。この接続片１１ｄは、表示部カバー３０に形成された接続スリット３０ａ（図１２参照）に挿入され、第１の導電性カバー１１と表示部カバー３０とを一体化する。
【００１７】
なお、第１の導電性カバー１１、第１の接片部１１ａ、グランド接片１１ｂ、グランド接点１１ｃおよび接続片１１ｄは、単一の導電性金属板から裁断、プレス加工等により一体として形成される。
【００１８】
図６には、第２の導電性カバー２１を内部側から見た内面図を示した。第２の導電性カバー２１には、絶縁材からなる、コ字形状の第２の枠部材２３がモールドされている。第２の枠部材２３は、ＣＦ型カードのコネクタ開口側が開放されていて、反対側の突壁で囲まれた凹状部分が通信状態表示用ＬＥＤ、アンテナ等を収納する、拡張部としての収納部２３ａを構成している。収納部２３ａの両側縁部から第２の導電性カバー２１の縁部に沿ってコネクタ開口方向に側腕部２３ｂが延びている。第２の導電性カバー２１には、その両側縁部に沿って所定間隔で、略直交方向に屈曲した３枚の第２の接片部２１ａが形成されている。これらの第２の接片部２１ａは、側腕部２３ｂにモールドされ、かつ先端部が側腕部２３ｂから突出している。突出した第２の接片部２１ａが、スリット１３ｃに挿入される。
【００１９】
第２の接片部２１ａは、図９に示したように先細の尖端部と、尖端部と側腕部２３ｂとの間にくびれ部を有する。この尖端部とくびれ部とが連なる部分に形成される鋭角突起が、スリット１３ｃに挿入されたときにスリット１３ｃを規制する側腕部１３ｂに食い込む抜け止めとして作用する。
【００２０】
さらに第２の導電性カバー２１の両側縁部には、収納部２３ａ近傍部に、グランド接点１１ｃと接触する接続片２１ｂが屈曲形成されている。各接続片２１ｂは、各第２の側腕部２３ｂのガイド突起２３ｃにモールド形成されている。ガイド突起２３ｃには、上、下カバー１０、２０を組み立てる際にグランド接片１１ｂをガイドする斜面と、該斜面を切り欠いた形状の、グランド接点１１ｃの進入を許容する溝２３ｄが形成されている。この溝２３ｄの底部に、第２の導電性カバー２１の側縁部から屈曲形成された接続片２１ｂが露出している。つまり、溝２３ｄにグランド接片１１ｂが進入すると、接続片２１ｂは接続片２１ｂに接触し導通するように形成されている。
【００２１】
なお、第２の導電性カバー２１、第２の接片部２１ａ、接続片２１ｂは、単一の導電性金属板から裁断、プレス加工等により一体として形成される。
【００２２】
図１０には表示部カバー３０の表面を、図１１には右側面図を、図１２には図１０の切断線XII-XIIに沿う断面図を示してある。表示部カバー３０は、拡張部として、回路等を収容する膨出部３１と、アンテナを収容する収容棚部３２を備えている。膨出部３１の表面には、状態表示用の２個の表示窓３１ａ、３１ｂが設けられている。この表示窓３１ａ、３１ｂにはそれぞれ、内部側から導光光学素子３３ａ、３３ｂが嵌合されている。この導光光学素子３３ａ、３３ｂは、一方の端部の凹部に挿入されたＬＥＤから発光された光を、表示窓３１ａ、３１ｂ内に位置する他方の端面から射出する作用を果たす。
【００２３】
また、膨出部３１の表面から収容棚部３２の上方に向かって、２個の押え突起３４ａ、３４ｂが突出形成されている。この突起３４ａ、３４ｂと収容棚部３２との間に、図示しないバーアンテナを収容することができる。バーアンテナが接続される通信回路基板は、上、下カバー１０、２０間の空間内に収納され、通信回路基板に装着された、バーアンテナを揺動自在に支持するヒンジ部が、膨出部３１の収容棚部３２側の端面角部に形成された半円部３１ｃから突出する。なお、この半円部３１ｃと対応する半円部２３ｅが上カバー１０の収納部２３ａの縁部に形成されている。
【００２４】
以上の上、下カバー１０、２０および表示部カバー３０は、組み立てに際しては、まず、上カバー１０の接続片１１ｄを表示部カバー３０の接続スリット３０ａに挿入して一体化してから、上カバー１０の各スリット１３ｃを、下カバー２０の対応する第２の接片部２１ａに嵌合するように重ね合わせる。その際、ガイド突起２３ｃ、溝２３ｄに沿ってグランド接片１１ｂ、グランド接点１１ｃがガイドされ、上、下カバー１０、２０が所定位置まで合わせられたときに、グランド接片１１ｂの先端屈曲縁部が側腕部２３ｂの縁部に係合する。このときグランド接点１１ｃは、接続片２１ｂに弾性的に接触して、第２の導電性カバー２１と第１の導電性カバー１１を導通している。
【００２５】
このように本実施形態のＣＦ型カードによれば、表裏を第１、第２の導電性カバー１１、２１で覆うだけでなく、ＣＦ型カードの両側面をそれぞれ３枚の第２の接片部２１ａおよび第１の接片部１１ａで覆うので、側面に対する電磁波遮閉効果が高まる。
【００２６】
さらに本実施形態のＣＦ型カードは、第１の枠部材１３に形成されたスリット１３ｃに第２の枠部材２３から突出した第２の接片部２１ａを挿入するだけで第１、第２の枠部材１３、２３が連結され、ＣＦ型カードが組み立てられるので、熱プレスや超音波溶着等の作業が不要になり、簡単に組み立てることができる 。
【００２７】
本実施形態では、所定間隔で形成された３枚の第２の接片部２１ａ、第１の接片部１１ａで覆う構成としたが、本発明はその数に限定されない。例えば、さらに幅狭で多数枚としてもよいし、あるいは少なくとも一方を連続した一枚で形成してもよい。さらに、第２の枠部材の方にスリットを設け、第１の枠部材から突出する接片部をスリット内に挿入する構成にしてもよく、スリットを第１、第２の枠部材の双方に設けてもよい。
【図面の簡単な説明】
【００２８】
【図１】本発明を適用した無線ＬＡＮ用のコンパクトフラッシュ型カードの実施形態を組み立てた状態で示す外観斜視図である。
【図２】同実施形態の上カバーを内部側から示す内面図である。
【図３】同実施形態の上カバーの側面図である。
【図４】図２の切断線IV-IVに沿った拡大断面図である。
【図５】同実施形態のスリット部の拡大図である。
【図６】同実施形態の下カバーを内部側から示す内面図である。
【図７】同実施形態の下カバーの側面図である。
【図８】同実施形態の下カバーの底面図である。
【図９】図６の切断線IX-IXに沿った拡大断面図である。
【図１０】同実施形態の表示部カバーの表面図である。
【図１１】同実施形態の表示部カバーの側面図である。
【図１２】図１０の切断線XII-XIIに沿った拡大断面図である。
【符号の説明】
【００２９】
１０  上カバー
１１  第１の導電性カバー
１１ａ  第１の接片部
１１ｂ  グランド接片
１１ｃ  グランド接点
１１ｄ  接続片
１３  第１の枠部材
１３ａ  底辺部分
１３ｂ  側腕部
１３ｃ  スリット
１５  補強枠
２０  下カバー
２１  第２の導電性カバー
２１ａ  第２の接片部
２１ｂ  接続片
２３  第２の枠部材
２３ａ  収納部
２３ｂ  側腕部
２３ｃ  ガイド突起
２３ｄ  溝
２３ｅ  半円部
３０  表示部カバー
３０ａ  接続スリット
３１  膨出部
３１ｃ  半円部
３２  収容棚部
【図１】
2006011790.tif 000003
【図２】
2006011790.tif 000004
【図３】
2006011790.tif 000005
【図４】
2006011790.tif 000006
【図５】
2006011790.tif 000007
【図６】
2006011790.tif 000008
【図７】
2006011790.tif 000009
【図８】
2006011790.tif 000010
【図９】
2006011790.tif 000011
【図１０】
2006011790.tif 000012
【図１１】
2006011790.tif 000013
【図１２】
2006011790.tif 000014